(57)【要約】【課題】単相交流同期モーターの回転方向を任意に制御することが可能な回転方向制御装置を提供する。【解決手段】回転方向制御装置２は、単相交流同期モーター１の回転子１８に従動して回転する減速歯車２５と、該減速歯車２５に設けられ回転中心と中線とが一致する二等辺三角形の２つの等辺２９ａ、２９ｂを有する１つ以上の突出歯３０と、前記減速歯車２５の回転に伴い等辺２９ａ、２９ｂと接触する側面を有する柱状の歯止め３４と、該歯止めの重心以外に直交して設けられた円柱軸３５と、該円柱軸３５を回動可能に支持し前記減速歯車２５の回転軸と平行且つ前記歯止め３４の柱中央を通る回転軸にて前記ケースに回動可能に支持された反転切替スイッチ３１とを備える。上記により反転切替スイッチ３１の角度を設定することで回転子１８の回転方向を制御する構成とした。【選択図】図２
2014066353.tif 000002
【特許請求の範囲】
【請求項１】
単相交流同期モーターの回転方向を制御するための装置において、回転子に従動して回転する減速歯車と、該減速歯車に設けられ回転中心と中線とが一致する二等辺三角形の２つの等辺を有する１つ以上の突出歯と、前記減速歯車の回転に伴い前記突出歯の等辺と接触する側面を有する柱状の歯止めと、該歯止めの重心以外に直交して設けられた円柱軸と、該円柱軸を回動可能に支持し前記減速歯車の回転軸と平行且つ前記歯止めの柱中央を通る回転軸にて回動可能に支持された反転切替スイッチと、を備える回転方向制御装置。
【請求項２】
請求項１の回転方向制御装置において、歯止めと反転切替スイッチとを結ぶ弾性部材を備える回転方向制御装置。
【請求項３】
請求項１又は２の回転方向制御装置を備え、電源に太陽電池を用いることを特徴とする単相交流同期モーター。
【発明の詳細な説明】
【技術分野】
【０００１】  本発明は、単相交流同期モーターにおける回転方向制御装置に関する。
【背景技術】
【０００２】  従来、例えば特許文献１に記載されているように、単相交流同期モーターの回転方向を制御する方法として、ストッパーを用いて回転方向を単方向に固定する制御機構が用いられている。
【先行技術文献】
【特許文献】
【０００３】
【特許文献１】実開平１−９０２５８号公報
【発明の概要】
【発明が解決しようとする課題】
【０００４】  しかしながら、このような機構を用いる場合、回転方向は一方向へ固定されてしまう。【０００５】  本発明は、上記問題点を解決することで、単相交流同期モーターの回転方向を任意に制御することが可能な回転方向制御装置の提案を課題とする。
【課題を解決するための手段】
【０００６】  請求項１の発明は、単相交流同期モーターの回転方向を制御するための装置において、回転子に従動して回転する減速歯車と、該減速歯車に設けられ回転中心と中線とが一致する二等辺三角形の２つの等辺を有する１つ以上の突出歯と、前記減速歯車の回転に伴い前記突出歯の等辺と接触する側面を有する柱状の歯止めと、該歯止めの重心以外に直交して設けられた円柱軸と、該円柱軸を回動可能に支持し前記減速歯車の回転軸と平行且つ前記歯止めの柱中央を通る回転軸にて回動可能に支持された反転切替スイッチと、を備える回転方向制御装置である。【０００７】  請求項２の発明は、請求項１の回転方向制御装置において、歯止めと反転切替スイッチとを結ぶ弾性部材を備える回転方向制御装置である。【０００８】  請求項３の発明は、請求項１又は２の回転方向制御装置を備え、電源に太陽電池を用いることを特徴とする単相交流同期モーターである。
【発明の効果】
【０００９】  請求項１の発明によれば、反転切替スイッチの回転軸が鉛直である場合、反転切替スイッチを回すことで突出歯に対する歯止めの効き方向を反転でき、その結果回転子の回転方向を任意に切り替えることが可能な回転方向制御装置を実現することができる。【００１０】  請求項２の発明によれば、反転切替スイッチの回転軸が鉛直でない場合であっても、反転切替スイッチを回すことで突出歯に対する歯止めの効き方向を反転でき、その結回転子の回転方向を任意に切り替えることが可能な回転方向制御装置を実現することができる。【００１１】  請求項３の発明によれば、電源として太陽電池を用いることにより、省エネルギーに資することができる。
【図面の簡単な説明】
【００１２】
【図１】実施例の単相交流同期モーターの外観斜視図である。
【図２】実施例の単相交流同期モーターの分解斜視図である。
【図３】実施例の単相交流同期モーターにおける回転方向制御装置の減速歯車の簡略上面図である。
【図４】実施例の単相交流同期モーターにおける回転方向制御装置の原理を説明する上面図である。
【図５】実施例の単相交流同期モーターにおける回転方向制御装置の反転切替スイッチの変形例を示す分解斜視図である。
【発明を実施するための形態】
【００１３】  本発明を実施するための形態に関する実施例を以下に説明する。
【実施例】
【００１４】（構造説明）
図１及び図２は単相交流同期モーター１を示す図である。この単相交流同期モーター１はケース１０、ケース１１、及びケース１２を躯体として成り立っており、ケース１１には電磁コイル１３と通電回路装置１４が固定されている。また、太陽電池１５と通電回路装置１４及び通電回路装置１４と電磁コイル１３はそれぞれリード線１６及び１７にて接続されている。【００１５】  回転子１８にはその回転中心から放射状且つ磁極の向きが交互になるよう６個の永久磁石１９が配置され、また回転子１８は中央上部にピニオン２０を有している。さらに回転子１８はケース１１とケース１２とに挟み込まれることで永久磁石１９と電磁コイル１３とが対面する位置で回動可能に支持されている。減速歯車２１はピニオン２２を有し、ケース１１とケース１２とに挟み込まれることでピニオン２０と噛み合う位置に回動可能に支持されている。同様に減速歯車２３はピニオン２４を有し、ケース１０とケース１２とに挟み込まれることでピニオン２２と噛み合う位置に回動可能に支持され、また減速歯車２５は冠歯車２６を有し、ケース１０とケース１１とに挟み込まれることでピニオン２４と噛み合う位置に回動可能に支持されている。出力軸２７は歯車２８を有し、冠歯車２６と歯車２８とが噛み合う位置でケース１０に回動可能に支持されている。【００１６】  図３に示すように減速歯車２５は上部に減速歯車２５の回転中心と中線とが一致する二等辺三角形の２つの等辺２９ａ及び２９ｂを持つ突出歯３０を有している。一方、反転切替スイッチ３１は下部に２つのＵ字溝３２が設けられたカップ形状をしており、ケース１０の上部に設けられた中空円柱突起３３と嵌め合わされることで回動可能に取り付けられている。柱状の歯止め３４は上部に直交する円柱軸３５を有し、Ｕ字溝３２と中空円柱突起３３との空間に円柱軸３５が回動可能に支持されている。この際、減速歯車２５の回転に伴い歯止め３４の側面が等辺２９ａ又は２９ｂと接触する位置に中空円柱突起３３は配置されている。【００１７】  また、減速歯車２５、等辺２９ａ、等辺２９ｂ、突出歯３０、反転切替スイッチ３１、歯止め３４及び円柱軸３５から回転方向制御装置２が成る。【００１８】（動作説明）
太陽電池１５に光が当たると電圧が生じ、通電回路装置１４が作動し電磁コイル１３と永久磁石１９との作用により回転子１８が回転する。この際の回転は単相交流同期によるものであるため、回転子１８の回転方向は定まらない。【００１９】  回転子１８の回転はピニオン２０、２２、２４及び減速歯車２１、２３の作用により減速歯車２５に伝達される。さらに減速歯車２５の回転は冠歯車２６及び歯車２８の作用により出力軸２７へと伝達され外部に出力される。【００２０】  一方、図４に示すように、反転切替スイッチ３１を回動させるとそれに伴い円柱軸３５の角度が変化するため歯止め３４の可動面３６は任意に設定することが可能である。また反転切替スイッチ３１の回転軸が鉛直である状況下において、等辺２９ａと歯止め３４とが接している状態で等辺２９ａに対し可動面３６が垂直となる角度に反転切替スイッチ３１を設定した場合、減速歯車２５が時計回りに回転する状態では歯止め３４は円柱軸３５を中心に回動することで突出歯３０を受け流すが、減速歯車２５が反時計回りに回転する状態では歯止め３４は回動できず突出歯３０と噛み合うことでストッパー機構が発揮される。これにより減速歯車２５は時計回りの回転に制御される。逆に、等辺２９ｂと歯止め３４とが接している状態で等辺２９ｂに対し可動面３６が垂直となる角度に反転切替スイッチ３１を設定した場合、減速歯車２５が反時計回りに回転する状態では歯止め３４は円柱軸３５を中心に回動することで突出歯３０を受け流すが、減速歯車２５が時計回りに回転する状態では歯止め３４は回動できず突出歯３０と噛み合うことでストッパー機構が発揮される。これにより減速歯車２５は反時計回りの回転に制御される。つまり反転切替スイッチ３１の角度を設定することで回転子１８の回転方向を任意に制御することが可能となる。【００２１】  本実施は次の変形例を包含する。
図５に示すように、反転切替スイッチ３１と歯止め３４とを結ぶ弾性部材３７を備える構造とする。これにより反転切替スイッチ３１の回転軸が鉛直以外の状況下においても同様に制御することが可能となる。
【符号の説明】
【００２２】１  単相交流同期モーター
２  回転方向制御装置
１３  電磁コイル
１４  通電回路装置
１５  太陽電池
１８  回転子
１９  永久磁石
２５  減速歯車
２９ａ  等辺
２９ｂ  等辺
３０  突出歯
３１  反転切替スイッチ
３４  歯止め
３５  円柱軸
【図１】
2014066353.tif 000003
【図２】
2014066353.tif 000004
【図３】
2014066353.tif 000005
【図４】
2014066353.tif 000006
【図５】
2014066353.tif 000007